(57)【要約】【課題】固定部に固定済みの耐震壁を取り外しても、建物全体の耐震強度の低下を簡便に補完又は補えるようにする。【解決手段】建物躯体Ａに耐震壁Ｂを固定してある耐震壁固定構造であって、耐震壁を各別に固定可能な複数の固定部１，２を建物躯体に設け、それらの複数の固定部のうちから選択した予備固定部２を残して、一部の固定部１に耐震壁を取り外し可能に固定してある。【選択図】図１
2008088739.tif 000002
【特許請求の範囲】
【請求項１】
建物躯体に耐震壁を固定してある耐震壁固定構造であって、
耐震壁を各別に固定可能な複数の固定部を建物躯体に設け、
前記複数の固定部のうちから選択した予備固定部を残して、一部の前記固定部に耐震壁を取り外し可能に固定してある耐震壁固定構造。
【請求項２】
前記建物躯体の同一階層において前記複数の固定部を設け、それら複数の固定部のうちから選択した予備固定部を残して、一部の前記固定部に耐震壁を取り外し可能に固定してある請求項１記載の耐震壁固定構造。
【請求項３】
前記固定部に固定してある耐震壁を取り外して、その取り外した耐震壁を前記予備固定部に固定可能に構成してある請求項１又は２記載の耐震壁固定構造。
【請求項４】
前記取り外した耐震壁を前記予備固定部に固定できるように案内移動可能なガイドを、前記建物躯体に設けてある請求項３記載の耐震壁固定構造。
【請求項５】
前記耐震壁を、一連の屈曲部位を略水平方向に沿わせて前記固定部に固定可能な波形鋼板で構成してある請求項１〜４のいずれか１項記載の耐震壁固定構造。
【発明の詳細な説明】
【技術分野】
【０００１】
本発明は、建物躯体に耐震壁を固定してある耐震壁固定構造に関する。
【背景技術】
【０００２】
耐震壁は、地震発生に伴う建物の変形を抑制して耐震強度を高めることができるが、従来の耐震壁固定構造では、建物躯体の複数箇所夫々に耐震壁を固定して、建物の耐震強度を高めてある（例えば、特許文献１参照）。
【０００３】
【特許文献１】特開２００５−７６２６１号公報
【発明の開示】
【発明が解決しようとする課題】
【０００４】
このため、建物内部のレイアウト変更などに伴って、耐震壁を取り外す必要が生じたような場合に、その耐震壁をその固定部から取り外すと、少なくとも取り外した耐震壁に依存していた分だけ、建物全体の耐震強度が低下してしまう欠点がある。
本発明は上記実情に鑑みてなされたものであって、固定済みの耐震壁を取り外しても、建物全体の耐震強度の低下を簡便に補完又は補えるようにすることを目的とする。
【課題を解決するための手段】
【０００５】
本発明の第１特徴構成は、建物躯体に耐震壁を固定してある耐震壁固定構造であって、耐震壁を各別に固定可能な複数の固定部を建物躯体に設け、前記複数の固定部のうちから選択した予備固定部を残して、一部の前記固定部に耐震壁を取り外し可能に固定してある点にある。
【０００６】
〔作用及び効果〕
複数の固定部のうちから選択した予備固定部を残して、一部の固定部に耐震壁を取り外し可能に固定してあるので、固定部に固定済みの耐震壁を取り外しても、新たな固定部を建物躯体に特に設けることなく、予備固定部に耐震壁を固定することで、建物全体の耐震強度の低下を簡便に補完又は補えながら、例えば建物内部のレイアウト変更などに伴う、建物内部の間仕切りの変更や、建物外部の変更が簡単に行える。
【０００７】
本発明の第２特徴構成は、前記建物躯体の同一階層において前記複数の固定部を設け、それら複数の固定部のうちから選択した予備固定部を残して、一部の前記固定部に耐震壁を取り外し可能に固定してある点にある。
【０００８】
〔作用及び効果〕
建物躯体の同一階層において複数の固定部を設け、それら複数の固定部のうちから選択した予備固定部を残して、一部の固定部に耐震壁を取り外し可能に固定してあるので、固定部に固定済みの耐震壁を取り外しても、同一階層に設けてある予備固定部に耐震壁を固定することで、耐震壁を取り外した階層における耐震強度の低下を補完又は補って、建物全体の耐震強度をバランス良く確保できる。
【０００９】
本発明の第３特徴構成は、前記固定部に固定してある耐震壁を取り外して、その取り外した耐震壁を前記予備固定部に固定可能に構成してある点にある。
【００１０】
〔作用及び効果〕
固定部に固定してある耐震壁を取り外して、その取り外した耐震壁を予備固定部に固定可能に構成してあるので、新たな耐震壁を特に製作することなく、取り外した耐震壁を有効に活用して、建物の耐震強度の低下を一層簡便に補完又は補える。
【００１１】
本発明の第４特徴構成は、前記取り外した耐震壁を前記予備固定部に固定できるように案内移動可能なガイドを、前記建物躯体に設けてある点にある。
【００１２】
〔作用及び効果〕
取り外した耐震壁を予備固定部に固定できるように案内移動可能なガイドを、建物躯体に設けてあるので、取り外した耐震壁の予備固定部への移動が容易で、建物全体の耐震強度の低下を一層簡便に補完又は補える。
【００１３】
本発明の第５特徴構成は、前記耐震壁を、一連の屈曲部位を略水平方向に沿わせて前記固定部に固定可能な波形鋼板で構成してある点にある。
【００１４】
〔作用及び効果〕
耐震壁を、一連の屈曲部位を略水平方向に沿わせて固定部に固定可能な波形鋼板、つまり、ＲＣ壁パネルや平鋼板をフレームで補強してある壁パネルに比べて軽量化を図り易く、取り扱いも容易な波形鋼板で構成してあるので、建物全体の耐震強度の低下を一層簡便に補完又は補える。
【発明を実施するための最良の形態】
【００１５】
以下に本発明の実施の形態を図面に基づいて説明する。
〔第１実施形態〕
図１〜図３は、本発明による耐震壁固定構造を示し、複数階層を備えた鉄筋コンクリート造りの建物躯体Ａの同一階層毎に、耐震壁Ｂを各別に固定可能な複数の固定部１，２を設け、それら複数の固定部１，２のうちから選択した複数の予備固定部２を残して、一部の複数の固定部１に耐震壁Ｂを取り外し可能に固定してある。
【００１６】
前記建物躯体Ａは、外壁３と、内壁４と、建物内部を複数階層に仕切る床スラブ５と、床スラブ５を支持する梁６，７と、梁６，７を支持する柱８，９とを鉄筋コンクリートで一体に構築してあり、各階層毎に、建物内外を仕切るガラスパネルなどの外部仕切り壁１０と、建物内部を仕切る内部仕切り壁１１とを設けてある。
【００１７】
前記外部仕切り壁１０は、建物前面側の前面外部仕切り壁１２と、建物側面側の左右の側面外部仕切り壁１３とからなり、いずれも、床スラブ５の外周部を支持する外周梁６の内側に沿って、外周梁６を支持する外周柱８の内側に設けてある。
【００１８】
そして、同一階層毎に、前面外部仕切り壁１２と側面外部仕切り壁１３との夫々に沿って一連の固定用レール１４，１５を、図５，図６に示すように、外周梁６の上面側と下面側とにアンカーボルトなどで固定し、これらの固定用レール１４，１５に設けた複数の固定部１，２に、予備固定部２を残して、耐震壁Ｂを取り外し可能に外部仕切り壁１０の外側に固定してある。
【００１９】
前記耐震壁Ｂの夫々は、一連の屈曲部位を略水平方向に沿わせて固定する波形鋼板で構成してあり、外周柱８の間隔に対してその三分の一程度の横幅を備え、上側固定用レール１５が外れ止め状態で入り込む上向きコの字状のガイド溝１６を備えた上側被ガイド部１８と、下側固定用レール１４が外れ止め状態で入り込む下向きコの字状のガイド溝１７を備えた下側被ガイド部１９とを上下に設けてある。
【００２０】
前記固定部１，２の夫々は、上下の固定用レール１４，１５の夫々に、隣り合う外周柱８間の略中央位置毎に対応させて、複数のボルト挿通孔２０を形成して構成してあり、それらのボルト挿通孔２０と、上下の被ガイド部１８，１９の夫々に形成した複数のボルト挿通孔とに亘って挿通した固定ボルト２１で、各耐震壁Ｂの上下両端部を隣り合う外周柱８間の略中央位置に取り外し可能に締め付け固定してある。
【００２１】
そして、耐震壁Ｂの夫々を、少なくとも同一階層毎に、同一仕様の耐震壁Ｂで構成して、同一階層毎に、固定部１に固定してある耐震壁Ｂを取り外して、その取り外した耐震壁Ｂを予備固定部２に固定可能に構成してある。
【００２２】
前記上下の固定用レール１４，１５は、上下の固定ボルト２１を外して固定部１から取り外した耐震壁Ｂを予備固定部２に固定できるように、各階層毎に、その階層に沿って案内移動可能なガイドを構成するもので、取り外した耐震壁Ｂを予備固定部２に移動する際には、図７（イ）に示すように、耐震壁Ｂの内側下部に設けてあるジャッキ受け２２と外周梁６との間に装着したジャッキ２３で耐震壁Ｂの下部を押し上げて、図７（ロ）に示すように、下側被ガイド部１９の複数箇所に設けてあるローラ固定孔２４の夫々に遊転ローラ２５をガイド溝１７に入り込むように固定し、これらの遊転ローラ２５を下側固定用レール１４の上端面に沿って転動させることにより、耐震壁Ｂを上下の固定用レール１４，１５に沿って予備固定部２に移動できるように構成してある。
【００２３】
前記予備固定部２に移動させた耐震壁Ｂは、図示しないが、ジャッキ２３で耐震壁Ｂの下部を押し上げて各遊転ローラ２５を取り外し、予備固定部２のボルト挿通孔２０と、上下の被ガイド部１８，１９のボルト挿通孔とに亘って挿通した固定ボルト２１で、その予備固定部２に固定する。
【００２４】
尚、耐震壁Ｂを取り外した後の固定部１は、以後、予備固定部２として扱われ、別の固定部１に固定してあった耐震壁Ｂを取り外して、その予備固定部２に固定することができる。
【００２５】
図４は、図３に示した耐震壁Ｂの配置を、建物内部のレイアウト変更などに伴って変更してある状態を示し、図３に示すように固定部１に固定済みの耐震壁Ｂの一部を取り外して予備固定部２に固定してある。
【００２６】
〔第２実施形態〕
本発明による耐震壁固定構造は建物内部に固定してある耐震壁に適用しても良い。
つまり、図８に示すように、建物の各階層毎に、上下の床スラブ５や梁７に上下の固定用レール１４，１５を格子状に固定し、固定用レール１４，１５に設けてある複数の固定部１，２のうちから選択した複数の予備固定部２を残して、一部の複数の固定部１に耐震壁Ｂを取り外し可能に固定してある。
【００２７】
図９は、図８に示した耐震壁Ｂの配置を、建物内部のレイアウト変更などに伴って変更してある状態を示し、図８に示すように固定部１に固定済みの耐震壁Ｂの一部を取り外して、予備固定部２に固定してある。
その他の構成は第１実施形態と同様である。
【００２８】
〔その他の実施形態〕
１．本発明による耐震壁固定構造は、複数のブレースを互いに交差する状態で斜め方向に固定することにより構成してある耐震壁の固定構造であっても良い。
２．本発明による耐震壁固定構造は、固定部から取り外した耐震壁とは仕様が異なる別の耐震壁や新規に製作した耐震壁を予備固定部に固定可能に設けてあっても良い。
３．本発明による耐震壁固定構造は、複数階層のうちのいずれかの階層に設けてある予備固定部に、その階層とは異なる階層に設けてある固定部から取り外した耐震壁を固定可能に設けてあっても良い。
４．本発明による耐震壁固定構造は、複数階層のうちのいずれかの階層に設けてある固定部に固定してある耐震壁を取り外して、その取り外した耐震壁を別の階層に設けてある予備固定部に固定できるように案内移動可能なガイドを建物躯体に設けてあっても良い。
５．本発明による耐震壁固定構造は、各階層毎に複数の固定部を設けてあるのではなく、建物躯体の全体で複数の固定部を設けてあっても良い。
６．本発明による耐震壁固定構造は、第１又は第２実施形態において示した固定用レールに設けてある固定部に代えて、固定用レールとは別の外周梁などの躯体側に固定部を設けてあっても良い。
７．本発明による耐震壁固定構造は、固定部から取り外した耐震壁を予備固定部に固定できるように案内移動可能なガイドを、第１又は第２実施形態において示した固定用レールに代えて、建物躯体側に形成したガイド溝で構成してあっても良い。
８．本発明による耐震壁固定構造は、固定部から取り外した耐震壁を予備固定部に移動させるために使用する移動用ローラを耐震壁に常設してあっても良い。
９．本発明による耐震壁固定構造は、地震の発生に伴って、設定値を越える加速度を感知すると、耐震壁を自動固定可能な固定部を設けてあっても良い。
１０．本発明による耐震壁固定構造は、固定部から取り外した耐震壁を予備固定部に対する固定位置にローラなどで駆動移動させる移動装置を耐震壁に設けてあっても良い。
１１．本発明による耐震壁固定構造は、固定部から取り外した耐震壁を予備固定部に対する固定位置に駆動移動させる際に、個々の耐震壁の位置をセンサーやコンピュータプログラムを用いて一元制御しても良い。
１２．本発明による耐震壁固定構造は、耐震壁の移動をより簡便、かつ、短時間で行えるように、自走式の耐震壁自体が個別にＧＰＳ等の位置情報を活用して、予め入力された異動先に自律的に移動するように設けて、日単位，時間単位のレイアウト変更を可能にしてあっても良い。
【図面の簡単な説明】
【００２９】
【図１】建物躯体の内部を示す概略平面図
【図２】建物躯体の内部を示す概略側面図
【図３】（イ）建物躯体の概略正面図、（ロ）建物躯体の概略側面図
【図４】（イ）耐震壁の配置を変更した後の建物躯体の概略正面図、（ロ）耐震壁の配置を変更した後の建物躯体の概略側面図
【図５】建物躯体の要部縦断面図
【図６】建物躯体の要部平面図
【図７】耐震壁の移動方法の説明図
【図８】第２実施形態を示す概略平面図
【図９】第２実施形態を示す耐震壁の配置を変更した後の概略平面図
【符号の説明】
【００３０】
１  固定部（一部の固定部）
２  固定部（予備固定部）
１４  ガイド
１５  ガイド
Ａ  建物躯体
Ｂ  耐震壁
【図１】
2008088739.tif 000003
【図２】
2008088739.tif 000004
【図３】
2008088739.tif 000005
【図４】
2008088739.tif 000006
【図５】
2008088739.tif 000007
【図６】
2008088739.tif 000008
【図７】
2008088739.tif 000009
【図８】
2008088739.tif 000010
【図９】
2008088739.tif 000011